(57)【特許請求の範囲】
【請求項１】
（Ａ）ポリチオフェンm+Ａｎm-型のポリチオフェン塩
［ここで、ポリチオフェン陽イオン：ポリチオフェンm+は、陽帯電もしくは未帯電の式（Ｉ）の単位を含有する：
0004499838.tif 000012
（式中、Ａは必要に応じＣ1〜Ｃ20−アルキル−、−ＣＨ2−ＯＨもしくはＣ6〜Ｃ14アリール基で置換されたＣ1〜Ｃ4−アルキレン基を示す。）
Ａｎm-はポリ陰イオンを示す。］
を含有するポリチオフェン成分と、
（Ｂ）多官能性有機シランの加溶媒分解生成物または縮合生成物と、
（Ｃ）必要に応じ元素Ｂ、Ａｌ、Ｓｉ、Ｓｎ、Ｔｉ、Ｚｒのアルコキシドの反応生成物と、
（Ｄ）必要に応じ元素Ｂ、Ａｌ、Ｉｎ、Ｓｉ、Ｓｎ、Ｔｉ、Ｚｒの金属酸化物もしくは金属酸化物ヒドロキシトと、
（Ｅ）溶剤と
を含有する混合物。
【請求項２】
多官能性有機シランの加溶媒分解生成物または縮合生成物（Ｂ）は、１分子当たり少なくとも２個の珪素原子を有し、珪素原子はそれぞれ１〜３個のアルコキシ−もしくはヒドロキシル基を有し、さらに少なくとも１個のＳｉ−Ｃ結合を介し２個の珪素原子と結合した構造単位にカップリングしている多官能性有機シランの生成物であり、該結合性構造単位は線状もしくは分枝鎖のＣ1〜Ｃ10−アキレン鎖、Ｃ5〜Ｃ10−シクロアルキレン基、芳香族基、または芳香族基と脂肪族基との組合せ、あるいは連鎖状−、リング状−もしくは篭状−シロキサンである、請求項１に記載の混合物。
【請求項３】
溶剤を除去することにより請求項２に記載の混合物から得られる無機−有機ハイブリッド材料。
【発明の詳細な説明】
本発明は、導電性有機ポリマーと多官能性有機シランの反応生成物との混合物、それから得られる導電性有機−無機ハイブリッド材料および表面を被覆するためのその使用に関するものである。
ガラス成形部品およびプラスチック成形部品は摩擦または電荷の印加、たとえばテレビ画像管における電子ビーム放射により静電気帯電する。この帯電は次いで粉塵吸引により急速な成形部品の粉塵付着をもたらし、これは実用的に望ましくない。従って、これら成形部品を静電気帯電から保護する必要性がある。この保護は、たとえば静電気防止コーチングによる成形部品の被覆によって達成しうる。ＩＳＯ  ２８７８に示された規定に従えば、静電気防止材料とは５０ｋΩ／□〜１００ＭΩ／□の表面抵抗を有するものと理解される。＜５０ｋΩ／□の表面抵抗にて導電性材料と言われる。
充分な導電性の材料によれば、静電気防止作用の他に、たとえば陰極放射線チューブから放出されるような電磁線に対するスクリーニング作用も得られる。効果的な放射線スクリーニングには、表面抵抗３ｋΩ／□よりも小でなければならない。
実用的使用に際し、これらコーチングは充分な機械的強度および付着性をも持たねばならない。特にキャリアとしてのガラスの場合、各層は充分な引掻き耐性を有して被覆表面の清浄に際しコーチングの損傷および従って静電気防止作用もしくは導電性作用の損失を回避せねばならない。
静電気防止性もしくは導電性コーチングを作成するための導電性ポリマー（たとえばポリチオフェンが刊行物から知られている。その例はＥＰ−Ａ  ４４０  ９５７号およびＤＥ−ＯＳ  ４２  １１  ４５９号に見られる。
ガラスを静電気防止仕上げするためのこれらポリチオフェン塩の使用がＤＥ−ＯＳ  ４２  ２９  １９２号に記載されている。しかしながら２〜３の用途では、これらコーチングは実用的に充分引掻き耐性を持たないことが示されている。
ＥＰ−Ａ  １７  １８７号からは、加水分解シロキサンに基づく引掻き耐性コーチングが公知である。しかしながら、これらはポリチオフェン塩の調製物とは適合しない。
ＷＯ  ９６／０５６０６号には、画像スクリーンに対するポリ−３，４−エチレンジオキシチオフェン含有コーチングが記載されている。コーチングの引掻き耐性を向上させると共に反射防止特性を得るには、たとえば金属アルコキシドから出発しＳｉＯ2もしくはＴｉＯ2の層がゾル−ゲル法を介し施される。
その欠点は、１００ｎｍより僅かしか厚くない層厚さにて既に透過率が６０％以下に低下することである。この層は従って全表面にわたり正確に同じ厚さを持たねばならない。この種の薄いコーチングの再現性ある塗布はしかしながら技術上困難である。
この方法の他の欠点は、少なくとも１つの引掻き耐性カバー層を導電層に設ける場合のみ必要な引掻き耐性を有する導電性コーチングが得られることである。反射防止特性を有する対応のコーチングについては、４層までの異なる層の順次塗布が必要である。これは技術的に極めて無駄である。さらに各追加層により、全体的層結合が欠陥部を有するという危険も発生する。
従って本発明の課題は、適する支持体に施され、溶剤の除去後に良好に付着し、改善された引掻き耐性および可視光の透過性を持った導電性コーチングを与える混合物を提供することである。
今回、導電性有機ポリマーと多官能性有機シランの反応生成物との混合物および必要に応じ他の成分（たとえば金属アルコキシド、金属酸化物もしくは金属酸化物ヒドロキシド）を使用すれば上記要件を満たしうることが判明した。
従って本発明の主題は、
（Ａ）ポリチオフェンm+Ａｎm-型のポリチオフェン塩
［ここで、ポリチオフェン陽イオン：ポリチオフェンm+は、陽帯電もしくは未帯電の式（Ｉ）の単位を含有する：
0004499838.tif 000002
（式中、Ａは必要に応じＣ1〜Ｃ20−アルキル−、−ＣＨ2−ＯＨもしくはＣ6〜Ｃ14アリール基で置換されたＣ1〜Ｃ4−アルキレン基を示す。）
Ａｎm-はポリ陰イオンを示す。］
を含有するポリチオフェン成分と、
（Ｂ）多官能性有機シランの加溶媒分解生成物または縮合生成物と、
（Ｃ）必要に応じ元素Ｂ、Ａｌ、Ｓｉ、Ｓｎ、Ｔｉ、Ｚｒのアルコキシドの反応生成物と、
（Ｄ）必要に応じ元素Ｂ、Ａｌ、Ｉｎ、Ｓｉ、Ｓｎ、Ｔｉ、Ｚｒの金属酸化物もしくは金属酸化物ヒドロキシドと、
（Ｅ）溶剤と
を含有する混合物である。
成分（Ａ）としては好ましくはポリチオフェンの調製物が使用され、たとえばこれらはＤＥ−ＯＳ  ４２  １１  ４５９号、ＥＰ−Ａ  ３３９  ３４０号およびＥＰ−Ａ  ４４０  ９５７号に記載されている。これらはポリチオフェンm+Ａｎm-型のポリチオフェンを含有し、ここでポリチオフェン陽イオンはポリチオフェンm+陽帯電もしくは未帯電の式（Ｉ）の単位を含有する：
0004499838.tif 000003
［式中、
Ａは必要に応じＣ1〜Ｃ20−アルキル−、−ＣＨ2−ＯＨもしくはＣ6〜Ｃ14アリール基で置換されたＣ1〜Ｃ4−アルキレン基を示し、ポリチオフェン陽イオンにおける単位の個数は５〜１００とすることができる。］
Ａｎm-はポリ陰イオンを示す。
本発明により使用しうるポリ陰イオンの例は、たとえばポリアクリル酸、ポリメタクリル酸、ポリマレイン酸のようなポリマーカルボン酸の陰イオン、さらにたとえばポリスチレンスルホン酸およびポリビニルスルホン酸のようなポリマースルホン酸の陰イオンである。これらポリカルボン酸およびポリスルホン酸はビニルカルボン酸およびビニルスルホン酸と、たとえばアクリル酸エステルおよびスチレンのような他の重合しうるモノマーとのコポリマーとすることもできる。
本発明により使用可能なポリ陰イオンを誘導しうるポリマー酸の平均分子量
0004499838.tif 000004
は１０００〜２００００００、好ましくは２０００〜５０００００である。ポリマー酸もしくはそのアルカリ塩は市販入手しうるか、或いは公知方法により作成することができ、これらはたとえばフーデル・ワイル、「メソーデン・デル・オーガニッシェン・ヘミー」、第Ｅ２０巻、「マクロモレキュラ・シュトッフェ」、第２部、第１１４頁以降に記載されている。
成分（Ｂ）として本発明による混合物は多官能性有機シランの反応生成物を含有する。本発明の意味において多官能性有機シランは１分子当たり少なくとも２個、好ましくは少なくとも３個の珪素原子を有するものであり、それぞれ１〜３個のアルコキシ−もしくはヒドロキシル基を有し、さらに少なくとも１個のＳｉ−Ｃ結合を介し２個の珪素原子と結合した構造単位にカップリングしている。
本発明の意味において結合性構造単位は最も簡単な場合は直鎖もしくは分枝鎖のＣ1〜Ｃ10−アキレン鎖、Ｃ5〜Ｃ10−シクロアルキレン鎖、芳香族基、たとえばフェニル、ナフチルもしくはビフェニル基または芳香族基と脂肪族基との組合せとすることができる。脂肪族基および芳香族基はたとえばＳｉ、Ｎ、Ｏ、ＳもしくはＦのようなヘテロ原子をも有することもできる。さらに、カップリング性構造単位は連鎖状−、リング状−もしくは篭状−シロキサン、たとえばシルセスキオキサンであってよい。
以下カップリング性構造単位の例を示す。ここでＸは１〜３個の加水分解性および／または縮合架橋性基を有するＳｉ原子を示し、Ｙはアルキレン鎖を介しカップリング性構造単位に結合した対応のＳｉ原子を示し、ｎは１〜１０の数を示し、ｍは１〜６の数を示す；
0004499838.tif 000005
［ここでＲは有機基、たとえばアルキル、シクロアルキル、アリールもしくはアルケニルである］。
多官能性有機シランの例は、一般式（ＩＩ）
Ｒ34-iＳｉ［（ＣＨ2）nＳｉ（ＯＲ4）aＲ53-a］i        （ＩＩ）
［式中、
ｉ＝２〜４、好ましくはｉ＝４であり、
ｎ＝１〜１０、好ましくはｎ＝２〜４、特に好ましくはｎ＝２であり、
Ｒ3＝アルキルもしくはアリールであり、
Ｒ5＝アルキルもしくはアリール、好ましくはＲ5＝メチルであり、
ａ＝１〜３であり、
Ｒ4＝アルキル、アリール、好ましくはＲ4＝メチル、エチル、イソプロピルであり、
ａ＝１である場合Ｒ4は水素とすることもできる］
の化合物である。
他の例は一般式（ＩＩＩ）
0004499838.tif 000006
［式中、
ｍ＝３〜６、好ましくはｍ＝３もしくは４であり、
ｎ＝２〜１０、好ましくはｎ＝２であり、
Ｒ6＝Ｃ1〜Ｃ6−アルキルもしくはＣ6〜Ｃ14−アリール、好ましくはＲ6＝メチル、エチル、特に好ましくはＲ6＝メチルであり、
Ｒ8＝アルキル、アリール、好ましくはＲ8＝メチルであり、
ｃ＝１〜３であり、
Ｒ7＝アルキル、アリール、好ましくはＲ7＝メチル、エチル、イソプロピルであり、
ｃ＝１の場合Ｒ7は水素とすることもできる］
の環式化合物である。
多官能性有機シランの他の例は一般式（ＩＶ）
Ｓｉ［ＯＳｉＲ112（ＣＨ2）pＳｉ（ＯＲ9）dＲ103-d］4    （ＩＶ）
［式中、
ｐ＝１〜１０、好ましくはｐ＝２〜４、特に好ましくはｐ＝２であり、
Ｒ11＝アルキル、アリール、好ましくはＲ11＝メチルであり、
Ｒ10＝アルキル、アリール、好ましくはＲ10＝メチルであり、
ｄ＝１〜３であり、
Ｒ9＝アルキル、アリール、好ましくはＲ9＝メチル、エチル、イソプロピルであり、
ｄ＝１である場合Ｒ9は水素とすることもできる］
の化合物である。
本発明による多官能性有機シランの例は、たとえばＳｉ［（ＣＨ2）2Ｓｉ（ＯＨ）（ＣＨ3）2］4およびシクロ−［ＯＳｉＭｅ（（ＣＨ2）2Ｓｉ（ＯＨ）Ｍｅ2）］4のようなシラノール、またはたとえばシクロ−［ＯＳｉＭｅ（（ＣＨ2）2Ｓｉ（ＯＥｔ）2Ｍｅ）］4およびシクロ−［ＯＳｉＭｅ（（ＣＨ2）2Ｓｉ（ＯＭｅ）Ｍｅ2）］4のようなアルコキシドである。
本発明による混合物は成分（Ｃ）として元素Ｂ、Ａｌ、Ｓｉ、Ｓｎ、Ｔｉ、Ｚｒのアルコキシドの反応生成物を含有することができる。
本発明による混合物の作成に際し使用しうるアルコキシドは好ましくは一般式Ｍ（ＯＲ）yに対応し、ここでｙはＭが硼素もしくはアルミニウムを示す場合は数値３であり、さらにｙはＭが珪素、錫、チタンもしくはジルコニウムであれば数値４を有する。本発明による混合物の作成に際し添加しうるアルコキシドの例は、それから作成されたコーチングの引掻き耐性の改善を得るにはＳｉ（ＯＥｔ）4、Ａｌ（ＯiＰｒ）3もしくはＺｒ（ＯiＰｒ）4であり、好ましくはＳｉ（ＯＥｔ）4である。チタンアルコキシド、たとえばＴｉ（ＯiＰｒ）4もしくはＴｉ（ＯnＢｕ）4の使用により、本発明の混合物から作成される導電性有機−無機−ハイブリッド材料の屈折率を増大させることができる。本発明による混合物の作成過程に際し、アルコキシドからたとえば溶剤、多官能性有機シラン、ポリチオフェン調製物、触媒などとの反応により或いは自己縮合により溶剤分解（加溶媒分解）生成物および縮合生成物が形成される。容易に加水分解可能かつ縮合可能な金属アルコキシドの反応性を減少させると共に沈殿物の形成を回避するには。多官能性有機シランと反応する前にこれらを予め水と反応させることができる。これら溶剤分解生成物および縮合生成物は本発明による混合物の成分（Ｃ）を形成する。
多官能性有機シランおよびその金属アルコキシドとの混合物の加水分解および縮合に関する論文はたとえばＤＥ−ＯＳ  １９６  ０３  ２４２号、ドイツ特許出願第１９６  ０３  ２４１．５号およびＷＯ  ９４／０６８０７号に見られる。
その際、多官能性有機シランを好ましくは溶剤（たとえばアルコール）中で必要に応じ金属アルコキシドの存在下に触媒の存在下で水と反応させる。無機もしくは有機酸（たとえば蟻酸）が触媒として使用される。多官能性有機シランの溶剤分解生成物および縮合生成物は本発明による混合物の成分（Ｂ）を形成する。
本発明による混合物は成分（Ｄ）として元素Ｂ、Ａｌ、Ｉｎ、Ｓｉ、Ｓｎ、ＴｉもしくはＺｒの金属酸化物もしくは金属酸化物ヒドロキシドを含有することができる。さらに混合金属酸化物、たとえばインジウム−錫酸化物（ＩＴＯ）も使用することができる。透明なコーチングを得るには、好ましくは１〜５０ｎｍの範囲の一次粒子寸法を有する粒子を使用する。本発明による混合物へのその混入は、粒子を溶剤（たとえば水もしくはアルコール）における分散物として添加する際に最もよく達成される。イソプロパノールにおけるＳｉＯ2（一次粒子寸法約９ｎｍ）の分散物が例として挙げられる。
たとえばガラス粉、炭酸カルシウム、硫酸カルシウム、硫酸バリウムもしくは層状シリケート（タルク、カオリン、雲母）のような充填剤の添加により、本発明の混合物から作成しうる非晶質有機−無機ハイブリッド材料の導電性をさらに改善することができる。
多官能性有機シランもしくはその混合物とアルコキシド、金属酸化物もしくは金属酸化物ヒドロキシドとの反応により得られる反応溶液から本発明による混合物が作成され、これにはポリチオフェンの調製物を撹拌下に添加する。均質混合物を得るには、好ましくは各成分を少なくとも部分的に水混和性である溶剤で希釈する。何故なら、ポリチオフェン調製物は一般に希釈された水溶液としてのみ作成しうると共に、反応溶液にて殆ど狭い範囲でのみ均質混合物を与えるからである。
従って対応モノマー（たとえば３，４−エチレンジオキシチオフェン）を反応溶液に添加すると共に、これをたとえばスルホン酸鉄の存在下に重合させることも可能である。
ポリチオフェン調製物の添加前に反応溶液を希釈しうる溶剤としてはたとえばメタノール、エタノール、イソプロパノール、ｎ−ブタノール、ｓｅｃ−ブタノール、エチレングリコールもしくはグリセリンのようなアルコール、たとえばアセトンもしくはメチルエチルケトンのようなケトン、並びにたとえばＮ，Ｎ−ジメチルホルムアミドもしくはＮ−メチルピロリドンのようなアミドを挙げることができる。さらに、２種もしくはそれ以上の溶剤の混液も使用することができる。
好ましくは本発明による混合物におけるポリチオフェン塩の割合は成分（Ａ）、（Ｂ）および（Ｃ）の合計に対し０．１〜２０重量％、好ましくは１〜１０重量％である。
本発明による混合物は成分（Ｅ）として溶剤を含有する。これらは、個々の成分の均質混合物を形成するよう作用する。溶剤としては本発明による混合物にて水、たとえば塩酸のような無機酸または有機溶剤を含有することができる。有機溶剤はたとえばメタノール、エタノール、イソプロパノール、ｎ−ブタノール、ｓｅｃ−ブタノール、エチレングリコールもしくはグリセリンのようなアルコール、たとえばアセトンもしくはメチルエチルケトンのようなケトン、たとえばＮ，Ｎ−ジメチルホルムアミドもしくはＮ−メチルピロリドンのようなアミドまたはたとえば蟻酸のような有機酸とすることができる。大抵の場合、本発明による混合物は溶剤の混液を含有する。何故なら、本発明による混合物を作成するのに必要な各成分は殆ど溶解形態にて使用されるからである。
特別の具体例において、本発明による混合物を作成するには先ず最初に式Ｓｉ［（ＣＨ2）2Ｓｉ（ＯＨ）（ＣＨ3）2］4の有機シランをエタノール中で、テトラエチルオルトシリケート（１モル：４モル）の存在下に水および蟻酸と反応させ、１時間の反応時間の後にｎ−ブタノールおよびエチレングリコールで希釈すると共に、ポリ−３，４−エチレンジオキシチオフェン／ポリスチレンスルホン酸の調製物の水溶液を添加する。
本発明による混合物からの溶剤の除去により、無機−有機ハイブリッド材料が得られる。これらはたとえば静電気防止性もしくは導電性の表面コーチングとして使用することができる。
このため本発明による混合物は表面に施され（塗布され）、溶剤の蒸発および形成された有機−無機ハイブリッド材料の硬化後に導電性かつ引掻き耐性のコーチングが得られる。
本発明による混合物での表面の被覆は慣用技術（たとえば噴霧、ドクターブレードでの塗布、浸漬、流動被覆または回転被覆により行うことができる。
無機−有機ハイブリッド材料にて施される層は好ましくは２０ｎｍ〜１００μｍの厚さ、特に好ましくは１００ｎｍ〜１０μｍの厚さを有する。層の導電性は好ましくは０．２〜１０8Ω／□、特に好ましくは１００〜１０8Ω／□である。
コーチングの硬化は１５〜２５０℃、好ましくは５０〜２００℃、特に好ましくは１００〜２００℃の温度にて行われる。
本発明の混合物により、たとえばプラスチックのような無機もしくは有機材料からの形成体およびフィルムにより表面を被覆することができる。適するプラスチックの例はポリエチレン、ポリプロピレン、ポリエステル、たとえばポリエチレンテレフタレートおよびポリエチレンナフタレート、ポリスチレン、ポリカーボネート、ＡＢＳ、ポリアクリレート、ポリアクリロニトリル、セルロース誘導体、たとえば酢酸セルロース、ポリアミド、ポリ塩化ビニル、必要に応じガラス繊維強化エポキシド樹脂、並びにコポリマーまたは前記ポリマーの配合物に基づくものである。
本発明による混合物はたとえばガラスもしくはセラミック、たとえば酸化アルミニウム、炭化珪素もしくは窒素珪素を含有する材料などの材料からなる無機成形体を被覆するのに特に適している。
好ましくは本発明による混合物は、ガラスからなる陰極放射チューブの静電防止性もしくは導電性コーチングとして使用される。
実施例
導電性有機ポリマーとして、約１．３％のポリ−３，４−エチレンジオキシチオフェン／ポリスチレンスルホン酸水溶液（ＰＥＤＴ／ＰＳＳ）を使用した。
使用した多官能性有機シラン、たとえばＳｉ［（ＣＨ2）2Ｓｉ（ＯＨ）（ＣＨ3）2］4もしくはシクロ−［ＯＳｉＭｅ（（ＣＨ2）2Ｓｉ（ＯＥｔ）2Ｍｅ）］4はＨＳｉＣｌＭｅ2もしくはＨＳｉＣｌ2Ｍｅによるテトラビニルシランもしくはシクロ−［ＯＳｉＭｅ（Ｃ2Ｈ3）］4のヒドロシリル化、それに続く加水分解もしくはアルコール分解により作成した。これの詳細な説明はＤＥ−ＯＳ  １９６  ０３  ２４２号およびドイツ特許出願第１９６  ０３  ２４２１．５号に見られる。
表面抵抗は、ＤＩＮ  ＩＥＣ  ９３に従って測定した。これには２個の幅５ｍｍかつ長さ５ｃｍの導電性銀ストリップを５ｃｍ間隔で試料表面に施した。導電性銀ストリップの硬化は、特記しない限り１６０℃での１５分間にわたる加熱により行った。
鉛筆硬度は、ＡＳＴＭ  Ｄ  ３３６３における指示に従って測定した。
実施例１
（ａ）  ２０ｇのＳｉ［（ＣＨ2）2Ｓｉ（ＯＨ）（ＣＨ3）2］4と５０ｍｌのエタノールと４０ｍｌのテトラエチルオルトシリケート（ＴＥＯＳ）と１０ｍｌの水と６ｍｌの蟻酸とをこの順序で撹拌しながら合し、次いでさらに９０分間にわたり撹拌した。
（ｂ）  上記（ａ）からの４０ｍｌの溶液に、撹拌下で４０ｍｌのエチレングリコールと４０ｍｌのｎ−ブタノールと４０ｍｌのＰＥＤＴ／ＰＳＳ溶液とを添加した。この均質混合物により３枚のガラス板を噴霧によりキャリアガスとして窒素を用いて被覆した。これを１６０℃で１５分間にわたり乾燥させ、冷却の後に表面抵抗を測定した。
0004499838.tif 000007
全フィルムは透明であった。
（ｃ）  上記（ｂ）に従って作成した混合物を２日間にわたり冷蔵庫に貯蔵し（約４℃）、その後に全く変化は観察しえなかった。均質混合物を次いでドクターブレードにより湿潤フィルム厚さ１２０μｍにてガラス板に施し、表面抵抗を測定した。
0004499838.tif 000008
コーチングは亀裂なし、透明かつ均質であった。
実施例２
（ａ）  １０ｇのＳｉ［（ＣＨ2）2Ｓｉ（ＯＨ）（ＣＨ3）2］4と２５ｍｌのエタノールと２０ｍｌのＴＥＯＳ（テトラエチルオルトシリケート）と５ｍｌの水と３ｍｌの蟻酸とをこの順序で撹拌下に合した。約１０分間の後、慣用の濾紙により濾過し、さらに８０分間にわたり撹拌した。
（ｂ）  上記（ａ）からの４０ｍｌのラッカー溶液に、激しく撹拌しながら４０ｍｌのエチレングリコールと４０ｍｌのｎ−ブタノールと６０ｍｌのＰＥＤＴ／ＰＳＳ水溶液（予め綿ウールで濾過した）を添加し、１０分間にわたり撹拌した。このようにして得られた均質混合物をキャリアガスとして窒素を用いてガラス板に噴霧し、コーチングを１６０℃にて１５分間にわたり硬化させた。
0004499838.tif 000009
両フィルムは透明であった。
実施例３
（ａ）  シクロ−［ＯＳｉＭｅ（（ＣＨ2）2Ｓｉ（ＯＨ）Ｍｅ2）］4の２５ｇの３６．５％溶液と１２．５ｍｌのＴＥＯＳと３．２ｍｌの水と２ｍｌの蟻酸とをこの順序で撹拌しながら合し、次いでさらに７５分間にわたり撹拌した。無色透明の溶液が得られた。
（ｂ）  上記（ａ）により得られたラッカー溶液を表に従い撹拌下に溶剤で希釈し、次いでＰＥＤＴ／ＰＳＳ水溶液と混合した。このようにして得られた均質混合物により、１２０μｍの湿潤フィルム厚さを有するフィルムをガラス板上にドクターブレードで施した。これを１０分間にわたり室温にて、および１６０℃にて１５分間にわたり乾燥させた。
0004499838.tif 000010
導電性銀ストリップを１６０℃にて１時間硬化させた。全フィルムは亀裂なし、透明かつ均質であった。
実施例４
（ａ）  １０ｇのＳｉ［（ＣＨ2）2Ｓｉ（ＯＨ）（ＣＨ3）2］4と２５ｍｌのエタノールと２０ｍｌのテトラエチルオルトシリケート（ＴＥＯＳ）と５ｍｌの水と３ｍｌの蟻酸とをこの順序で撹拌下に合し、次いでさらに９０分間にわたり撹拌した。
（ｂ）  上記（ａ）からの２０ｍｌの溶液に撹拌下で４０ｍｌのエチレングリコールと４０ｍｌのｎ−ブタノールと４０ｍｌのＰＥＤＴ／ＰＳＳ溶液とを添加した。
（ｃ）  上記（ａ）からの２０ｍｌの溶液に撹拌下で６０ｍｌのエチレングリコールと６０ｍｌのｎ−ブタノールと６０ｍｌのＰＥＤＴ／ＰＳＳ溶液とを添加した。
上記（ｂ）および（ｃ）からの均質混合物を１７時間にわたり冷蔵庫に貯蔵した。その後それぞれ３枚のガラス板に噴霧によりキャリアガスとして窒素を用いて被覆し、次いで間接的に１５分間にわたり１６０℃にて乾燥させた。冷却後、表面抵抗を測定した。試料１〜３を溶液（ｂ）で作成し、試料４〜６を溶液（ｃ）で作成した。
0004499838.tif 000011
全フィルムは透明であった。
実施例５
（ａ）  実施例１（ａ）に従って作成された４０ｍｌのラッカー溶液に撹拌下で４０ｍｌのエチレングリコールと４０ｍｌの１−ブタノールと８０ｍｌのＰＥＤＴ／ＰＳＳ−分散物とを添加した。
（ｂ）  上記（ａ）に従って作成された２ｍｌの混合物に撹拌下で約５ｍｇの雲母（雲母Ｗ１、製造業者ノルウエータルク社）を添加した。１０分間の撹拌の後、フィルム（湿潤フィルム厚さ１２０μｍ）をガラス板にドクターブレードで施し、１６０℃にて１５分間にわたり硬化させた。試料の表面抵抗は６９０Ω／□であった。
実施例６
２０ｇのシクロ−［ＯＳｉＭｅ（（ＣＨ2）2Ｓｉ（ＯＭ）Ｍｅ2）〕4と４０ｍｌのイソプロパノールと２５．７ｇのＴＥＯＳと４．４５ｇの０．１Ｎ塩酸とを撹拌下に合し、１時間にわたり再撹拌した。次いで６０ｍｌのエチレングリコールおよび２２ｍｌのＮＭＰで希釈した。１．３ｍｌのこの溶液に次いで１ｍｌのＰＥＤＴ／ＰＳＳ分散物およびさらに０．２５ｍｌのエチレングリールを添加した。ガラス板に溶液を施した後（湿潤フィルム厚さ１２０μｍ）、揮発性成分を１４０℃にて１時間蒸発させて硬化させた。導電性銀の塗布および１６０℃における焼き付け（１５分間）の後、２２５Ω／□を有する表面導電性が測定された。鉛筆硬度は６Ｈであった。